(57)【要約】      （修正有）【課題】リモコン装置へのアドレス設定が容易にかつ迅速に行える照明制御システムを提供する。【解決手段】負荷機器制御システムは、受信装置と、複数の照明器具と、オンオフ操作されるスイッチ部２５ａ〜２５ｄ、照明負荷の点消灯に応じて点灯される表示ランプ２６ａ，２６ｂ〜２９ａ，２９ｂ、スイッチ部２５ａ〜２５ｄに付与されたＩＤ番号を可視光に重畳させた可視光信号により送信するように表示ランプ２６ａ，２６ｂ〜２９ａ，２９ｂを制御する制御装置３２とを有する壁スイッチ装置４と、送受信部が受信した可視光信号からＩＤ番号を復調し、操作スイッチと復調したＩＤ番号との対応付けを記憶部に記憶させる制御部とを有するリモコン装置とを具備している。【選択図】図５
2010213045.tif 000002
【特許請求の範囲】
【請求項１】
無線信号による制御信号を受信する受信装置と；
自己の識別番号を有する負荷機器と；
スイッチ本体と、このスイッチ本体に配設されるスイッチ部と、前記スイッチ本体に配設され外方に可視光を放射する表示ランプと、前記スイッチ部に付与されたＩＤ番号を記憶している記憶装置と、前記スイッチ部の操作に応じて前記ＩＤ番号を含む制御信号を送信する送信装置と、前記ＩＤ番号を前記表示ランプから可視光信号により送信するように前記表示ランプを制御する制御装置とを有して構成された壁スイッチ装置と；
手動操作される操作スイッチと、前記壁スイッチ装置の表示ランプから送信された可視光信号を受信する受信部と、この受信部が受信した可視光信号から前記ＩＤ番号を復調する制御部と、前記操作スイッチと前記復調したＩＤ番号との対応付けを記憶する記憶部と、前記操作スイッチの手動操作に応じて前記記憶部に記憶されたＩＤ番号を含む制御信号を無線信号で送信する送信部とを有して構成されたリモコン装置と；
伝送線を介して前記受信装置、前記負荷機器および前記壁スイッチ装置と接続され、前記負荷機器の識別番号と前記スイッチ部のＩＤ番号とを対応付けて記憶するとともに、前記ＩＤ番号を含む制御信号を受信したときに対応する識別番号の負荷機器を制御する主制御装置と；
を具備していることを特徴とする負荷機器制御システム。
【請求項２】
スイッチ本体と、このスイッチ本体に配設されるスイッチ部と、前記スイッチ本体に配設され外方に可視光を放射する表示ランプと、前記スイッチ部に付与されたＩＤ番号を記憶している記憶装置と、前記スイッチ部の操作に応じて前記ＩＤ番号を含む制御信号を送信する送信装置と、前記ＩＤ番号を前記表示ランプから可視光信号により送信するように前記表示ランプを制御する制御装置とを有して構成された壁スイッチ装置と；
手動操作される操作スイッチと、前記壁スイッチ装置の表示ランプから送信された可視光信号を受信する受信部と、この受信部が受信した可視光信号から前記ＩＤ番号を復調する制御部と、前記操作スイッチと前記復調したＩＤ番号との対応付けを記憶する記憶部と、前記操作スイッチの手動操作に応じて前記記憶部に記憶されたＩＤ番号を含む制御信号を無線信号で送信する送信部とを有して構成されたリモコン装置と；
無線信号による制御信号を受信する受信装置を備え、前記受信装置が自己に対応付けられたＩＤ番号を含む制御信号を受信したときに、この制御信号に応じて動作状態が制御される負荷機器と；
を具備していることを特徴とする負荷機器制御システム。
【請求項３】
前記壁スイッチ装置の制御装置は、可視光信号を送信するときに表示ランプに供給する電力量を表示ランプの通常点灯時の電力量よりも増加するように制御することを特徴とする請求項１または２記載の負荷機器制御システム。
【発明の詳細な説明】
【技術分野】
【０００１】
本発明は、リモコン装置によって複数の負荷機器を制御する負荷機器制御システムに関する。
【背景技術】
【０００２】
例えば、壁スイッチやリモコン装置などの操作端末器のスイッチ操作に応じて、複数の照明器具の照明負荷を制御するためには、複数の照明器具と操作端末器のスイッチとを対応づけるアドレス設定が必要である。このアドレス設定は、ディップスイッチ又は専用のアドレス設定器を用いて行われているが、複数の照明器具と操作端末器の双方にアドレス設定を行うので、当該設定作業が煩雑なものとなっている。
【０００３】
そこで、可視光通信を利用してアドレス設定を行う遠隔照明制御システムが提案されている（例えば特許文献１参照。）。この従来技術の遠隔照明制御システムは、照明負荷制御端末器が識別情報を可視光信号として送信するよう照明負荷を制御し、スイッチ端末器が可視光信号を受信し、識別情報を操作スイッチに対応付けて記憶するものであり、照明負荷制御端末器に可視光通信を実行する可視光通信モードと、可視光通信を停止する通常制御モードとを切り替えるモード切替スイッチを設けている。
【先行技術文献】
【特許文献】
【０００４】
【特許文献１】特開２００８−１３５２２３号公報（第６、９頁、第１、７図）
【発明の概要】
【発明が解決しようとする課題】
【０００５】
特許文献１の遠隔照明制御システムは、複数の照明負荷により識別情報を送信する可視光信号が一度に複数混在して存在する場合には、照明負荷制御端末器の切替スイッチにより通常制御モードとして可視光信号の送信を停止させるか、照明負荷自体を取り外して可視光信号を送信しないようにするか、照明負荷の電源を切断するか、照明負荷を物理的に遮るなどして、１つの可視光信号のみを送信できるようにするので、手間を要して、アドレスの設定作業に時間を要するという欠点を有する。
【０００６】
また、アドレスの設定作業は、複数の照明負荷のそれぞれの照射領域に移動して行うので、上記同様に、アドレスの設定作業に時間を要するという欠点を有する。
【０００７】
本発明は、可視光通信を利用して、リモコン装置へのアドレス設定が容易にかつ迅速に行える照明制御システムを提供することを目的とする。
【課題を解決するための手段】
【０００８】
請求項１に記載の負荷機器制御システムの発明は、無線信号による制御信号を受信する受信装置と；自己の識別番号を有する負荷機器と；スイッチ本体と、このスイッチ本体に配設されるスイッチ部と、前記スイッチ本体に配設され外方に可視光を放射する表示ランプと、前記スイッチ部に付与されたＩＤ番号を記憶している記憶装置と、前記スイッチ部の操作に応じて前記ＩＤ番号を含む制御信号を送信する送信装置と、前記ＩＤ番号を前記表示ランプから可視光信号により送信するように前記表示ランプを制御する制御装置とを有して構成された壁スイッチ装置と；手動操作される操作スイッチと、前記壁スイッチ装置の表示ランプから送信された可視光信号を受信する受信部と、この受信部が受信した可視光信号から前記ＩＤ番号を復調する制御部と、前記操作スイッチと前記復調したＩＤ番号との対応付けを記憶する記憶部と、前記操作スイッチの手動操作に応じて前記記憶部に記憶されたＩＤ番号を含む制御信号を無線信号で送信する送信部とを有して構成されたリモコン装置と；伝送線を介して前記受信装置、前記負荷機器および前記壁スイッチ装置と接続され、前記負荷機器の識別番号と前記スイッチ部のＩＤ番号とを対応付けて記憶するとともに、前記ＩＤ番号を含む制御信号を受信したときに対応する識別番号の負荷機器を制御する主制御装置と；を具備していることを特徴とする。
【０００９】
本発明および以下の各発明において、特に言及しない限り、各構成は以下による。
【００１０】
負荷機器は、その動作が外部から送信された制御信号により制御され、電力を消費するものであればよく、例えば照明器具、エアコンやファンなどである。
【００１１】
負荷機器の制御は、例えばオンオフ制御であってもよく、負荷機器として照明器具を用いる場合には、照明負荷の点灯状態を点灯、消灯および調光するものであってもよい。照明器具の照明負荷としては、白熱電球、蛍光ランプなどの放電ランプ、発光ダイオード（ＬＥＤ）や有機ＥＬなどのいずれであってもよい。
【００１２】
負荷機器は、一つまたは複数が１グループとして一つの識別番号を有し、壁スイッチ装置の一つのスイッチ部のＩＤ番号に対応付けられて、当該スイッチ部により制御されるものであってもよい。
【００１３】
ＩＤ番号は、スイッチ部を一意に特定するアドレスを意味する。また、識別番号は、負荷機器を一意に特定するアドレスを意味する。
【００１４】
無線信号は、有線以外の通信手段から送信されるものであり、例えば電波または赤外線を用いることができる。
【００１５】
受信装置は、１個または複数個であってもよい。また、負荷機器と一体に設けられてもよく、別体に設けられてもよく、グループ毎に設けられていてもよい。
【００１６】
表示ランプは、発光ダイオード（ＬＥＤ）、ネオン管とすることができる。
【００１７】
また、表示ランプは、負荷機器のオンオフを表示するものや照明負荷の点灯または消灯のいずれか一方を表示するものであってもよく、両方を表示するものであってもよい。
【００１８】
壁スイッチ装置は、可視光信号を常時またはスイッチ部における所定時間内の所定回数以上の操作により送信するようにしてもよく、リモコン装置や外部機器からの要求信号に応じて送信するようにしてもよい。
【００１９】
リモコン装置の送信部および受信部は、一つの送受信部として形成されていてもよい。
【００２０】
リモコン装置は、１つの操作スイッチを有し、１グループの負荷機器を制御するものであってもよく、複数の操作スイッチを有し、複数のグループのグループ毎に負荷機器を制御するものであってもよい。
【００２１】
本発明によれば、壁スイッチ装置から可視光信号が送信されているときに、リモコン装置の受信部側を壁スイッチ装置の表示ランプに近接させ、受信部に可視光信号を受信させることにより、リモコン装置において可視光信号からスイッチ部に付与されたＩＤ番号が復調され、当該ＩＤ番号は、操作スイッチと対応付けられて記憶部に記憶される。これにより、壁スイッチ装置のスイッチ部を介して、負荷機器に対するリモコン装置のアドレス設定が行われる。そして、操作スイッチを手動操作すると、リモコン装置からＩＤ番号が付与された制御信号が無線信号により送信され、この制御信号は、受信装置により受信されて、伝送線を介して主制御装置に入力される。そして、制御信号のＩＤ番号に対応する識別番号の負荷機器が制御される。
【００２２】
請求項２に記載の負荷機器制御システムの発明は、スイッチ本体と、このスイッチ本体に配設されるスイッチ部と、前記スイッチ本体に配設され外方に可視光を放射する表示ランプと、前記スイッチ部に付与されたＩＤ番号を記憶している記憶装置と、前記スイッチ部の操作に応じて前記ＩＤ番号を含む制御信号を送信する送信装置と、前記ＩＤ番号を前記表示ランプから可視光信号により送信するように前記表示ランプを制御する制御装置とを有して構成された壁スイッチ装置と；手動操作される操作スイッチと、前記壁スイッチ装置の表示ランプから送信された可視光信号を受信する受信部と、この受信部が受信した可視光信号から前記ＩＤ番号を復調する制御部と、前記操作スイッチと前記復調したＩＤ番号との対応付けを記憶する記憶部と、前記操作スイッチの手動操作に応じて前記記憶部に記憶されたＩＤ番号を含む制御信号を無線信号で送信する送信部とを有して構成されたリモコン装置と；無線信号による制御信号を受信する受信装置を備え、前記受信装置が自己に対応付けられたＩＤ番号を含む制御信号を受信したときに、この制御信号に応じて動作状態が制御される負荷機器と；を具備していることを特徴とする。
【００２３】
本発明によれば、リモコン装置の操作スイッチを手動操作すると、リモコン装置からＩＤ番号が付与された制御信号が無線信号により送信され、この制御信号は、負荷機器の受信装置により受信され、当該ＩＤ番号を有する負荷機器に入力される。負荷機器は、当該制御信号に応じた動作状態に制御される。
【００２４】
請求項３に記載の負荷機器制御システムの発明は、請求項１または２記載の負荷機器制御システムの発明において、前記壁スイッチ装置の制御装置は、可視光信号を送信するときに表示ランプに供給する電力量を表示ランプの通常点灯時の電力量よりも増加するように制御することを特徴とする。
【００２５】
表示ランプの増加された後の電力量は、最大許容電力量を超えないようにするものであり、好ましくは、定格電力量以下である。
【００２６】
本発明によれば、表示ランプは、可視光信号を送信するときに通常点灯時の電力量よりも電力量が増加するので、表示ランプから放射される可視光の出力が大きくなることにより可視光信号の出力も大きくなり、これにより、可視光信号がリモコン装置に受信されやすくなる。
【発明の効果】
【００２７】
請求項１または請求項２の発明によれば、壁スイッチ装置の表示ランプから可視光信号が送信され、リモコン装置の受信部によって可視光信号を受信することにより、リモコン装置の操作スイッチと壁スイッチ装置のスイッチ部のＩＤ番号とを対応付けすることができるので、壁スイッチ装置と負荷機器とのアドレスの設定作業を行えば、リモコン装置のアドレスの設定を容易にかつ迅速に行うことができる。
【００２８】
請求項３の発明によれば、表示ランプから可視光信号を送信するときに表示ランプの電力量が通常点灯時よりも増加することにより、可視光信号がリモコン装置に受信されやすくなるので、リモコン装置の操作スイッチと壁スイッチ装置のスイッチ部のＩＤ番号との対応付けの確実性を向上させることができる。
【図面の簡単な説明】
【００２９】
【図１】本発明の実施例１を示す負荷機器制御システムの構成の概略ブロック図。
【図２】同じく、受信装置の構成を示す概略ブロック図。
【図３】同じく、照明器具の構成を示す概略ブロック図。
【図４】同じく、壁スイッチ装置を示す概略上面図。
【図５】同じく、壁スイッチ装置の構成を示す概略ブロック図。
【図６】同じく、主制御装置の構成を示す概略ブロック図。
【図７】同じく、リモコン装置の構成を示す概略ブロック図。
【図８】本発明の実施例２を示す負荷機器制御システムの構成の概略ブロック図。
【図９】同じく、照明器具の構成を示す概略ブロック図。
【図１０】同じく、壁スイッチ装置の構成を示す概略ブロック図。
【図１１】本発明の実施例３を示す負荷機器制御システムの構成の概略ブロック図。
【図１２】同じく、負荷機器の構成を示す概略ブロック図。
【図１３】同じく、リモコン装置の構成を示す概略ブロック図。
【発明を実施するための形態】
【００３０】
以下、本発明の一実施の形態について、図面を参照して説明する。
【００３１】
本発明の負荷機器制御システムは、壁スイッチ装置のスイッチ部に付与されたＩＤ番号を表示ランプから放射される可視光に重畳した可視光信号により送信可能に構成している。そして、リモコン装置は、その受信部が可視光信号を受信し、その制御部が当該可視光信号から壁スイッチ装置のスイッチ部に付与されたＩＤ番号を復調して取得するものである。これにより、リモコン装置が壁スイッチ装置から送信される制御信号と同等の制御信号を送信することができるようになるというものである。
【実施例１】
【００３２】
図１ないし図７は、本発明の実施例１を示し、図１は負荷機器制御システムの構成の概略ブロック図、図２は受信装置の構成を示す概略ブロック図、図３は照明器具の構成を示す概略ブロック図、図４は壁スイッチ装置を示す概略上面図、図５は壁スイッチ装置の構成を示す概略ブロック図、図６は主制御装置の構成を示す概略ブロック図、図７はリモコン装置の構成を示す概略ブロック図である。
【００３３】
図１において、負荷機器制御システム１は、照明制御システムであり、受信装置２、負荷機器としての照明器具３、壁スイッチ装置４、リモコン装置５および主制御装置８を有して構成されている。受信装置２、照明器具３および壁スイッチ装置４は、それぞれ伝送線７に接続され、伝送線７を介して主制御装置８に接続されている。伝送線７は、複極（±２４Ｖ）の時分割多重信号で示されたデータを送受信する伝送線、あるいはイーサネット（登録商標）や電力線通信等を行う回線である。
【００３４】
受信装置３は、図２に示すように、送信部９、制御部１０および受信素子１１を有して構成されている。送信部９は、接続端子１２，１２を介して伝送線７，７に接続されている。受信素子１１は、例えばフォトダイオードからなり、リモコン装置５から無線信号で送信された制御信号を受信する。制御部１０は、受信素子１１が受信した制御信号をデータ変換して、送信部９から伝送線７，７に出力させるように形成されている。
【００３５】
照明器具３は、図１に示すように、天井側に複数個が配設されている。照明器具３は、一つ又は複数個の照明器具３を１グループとしている。各照明器具３は、それぞれ器具本体１３に自己の識別番号（アドレス）が付与されている。照明器具３は、天井に直付けされる直付け器具、天井に埋め込まれる埋込形器具または天井に吊り下げられる吊り下げ形器具などのいずれであってもよい。
【００３６】
そして、照明器具３は、図３に示すように、器具本体１３が制御端末装置１４を収納するとともに、照明負荷１５を配設している。制御端末装置１４は、その接続端子１６，１６に商用交流電源Ｖｓに接続されている電源線１７，１７が接続され、その接続端子１８，１８に伝送線７，７が接続されている。照明負荷１５は、例えば蛍光ランプであり、可視光（白色光）を放射する。
【００３７】
制御端末装置１４は、ユニットに形成されて器具本体１３の内部に配設され、送受信部１９、記憶部２０、制御部２１、点灯回路部２２および電源部２３を有して構成されている。送受信部１９は、受信装置２が受信した制御信号を伝送線７，７から入力して制御部２１に送出するとともに、返信信号や照明負荷１５の監視信号などを伝送線７，７に送信するように形成されている。
【００３８】
記憶部２０は、器具本体１３（照明器具３）に付与された識別番号（アドレス）や制御信号に対する調光比率などの各種データを記憶している。制御部２１は、マイコンを有して形成され、受信装置２からの制御信号に応じて点灯回路部２２を制御し、照明負荷１５の点灯状態を制御するように形成されている。
【００３９】
点灯回路部２２は、接続端子１６，１６を介して電源線１７，１７に接続され、商用交流電源Ｖｓから交流電力を入力する。そして、制御部２１の制御により、入力した交流電力を高周波交流電力に変換し、この高周波交流電力により照明負荷１５を点灯制御する。電源部２３は、主制御装置８から伝送線７，７に送信されている伝送信号から直流電源を生成して、当該直流電源を制御部２１などに供給して動作させる。
【００４０】
壁スイッチ装置４は、図５に示すように、スイッチ本体２４に配設されたスイッチ部２５ａ〜２５ｄ、表示ランプ２６ａ，２６ｂ〜２９ａ，２９ｂ、記憶装置３０、送信装置を含む送受信装置３１、制御装置３２および電源部３３を有して構成されている。
【００４１】
スイッチ部２５ａ〜２５ｄは、照明負荷１５を点消灯させるためにオンオフ操作されるものであり、照明器具３の一つ又は複数個からなるグループ毎に対応付けられ、それぞれＩＤ番号（アドレス）を有している。例えば、スイッチ部２５ａは、そのオンオフ操作によりＩＤ番号１に対応付けられた照明器具３の照明負荷１５を点消灯させるものである。同様に、スイッチ部２５ｂ，２５ｃ，２５ｄは、それぞれＩＤ番号２，３，４に対応付けられた照明器具３の照明負荷１５を点消灯させるものである。
【００４２】
表示ランプ２６ａ，２６ｂ〜２９ａ，２９ｂは、それぞれ発光ダイオード（ＬＥＤ）からなっている。そして、表示ランプ２５ａ，２６ａ，２７ａ，２８ａは、赤色光の可視光を放射し、表示ランプ２５ｂ，２６ｂ，２７ｂ，２８ｂは、緑色光の可視光を放射するものである。
【００４３】
そして、表示ランプ２６ａ，２６ｂは、スイッチ部２５ａに対応付けられ、スイッチ部２５ａのＩＤ番号１に対応付けられている照明器具３の照明負荷１５の点消灯に応じて点灯される。すなわち、当該照明負荷１５が点灯すると、表示ランプ２６ａが点灯し、表示ランプ２６ｂが消灯し、当該照明負荷１５が消灯すると、表示ランプ２６ａが消灯し、表示ランプ２６ｂが点灯するものである。同様に、表示ランプ２７ａ，２７ｂ、表示ランプ２８ａ，２８ｂおよび表示ランプ２９ａ，２９ｂは、スイッチ部２５ｂ、スイッチ部２５ｃおよびスイッチ部２５ｄにそれぞれ対応付けられ、それぞれのスイッチ部２５ｂ〜２５ｄのＩＤ番号に対応付けられている照明器具３の照明負荷１５の点消灯に応じて点灯される。
【００４４】
記憶装置３０は、スイッチ部２５ａ〜２５ｄと、スイッチ部２５ａ〜２５ｄに付与されたＩＤ番号との対応付けを記憶している。送受信装置３１は、接続端子３４，３４を介して伝送線７，７に接続され、伝送線７，７から制御信号や伝送信号などを受信するとともに、スイッチ部２５ａ〜２５ｄのオンオフ操作に応じた制御信号などを伝送線７，７に送信するように形成されている。
【００４５】
制御装置３２は、マイコンを有して形成されている。そして、オンオフ操作されたスイッチ部２５ａ〜２５ｄのＩＤ番号を有する点消灯制御信号を生成し、送受信装置３１から伝送線７，７に送信するように送受信装置３１を制御するものである。そして、当該点消灯制御信号を受信した主制御装置８から表示ランプ点灯用の要求信号が送信され、その要求信号を送受信装置３１が受信すると、点消灯制御信号に付与されたＩＤ番号に対応付けられた表示ランプ２６ａ，２６ｂ〜２９ａ，２９ｂに電流を供給するように形成されている。制御装置３２は、表示ランプ２６ａ，２６ｂ〜２９ａ，２９ｂに、定格電流の例えば３０％の電流を供給する。これにより、表示ランプ２６ａ，２６ｂ〜２９ａ，２９ｂは、通常点灯し、赤色光または緑色光を放射する。
【００４６】
また、制御装置３２は、可視光信号送信用の要求信号を入力すると、記憶装置３０に記憶されているスイッチ部２５ａ〜２５ｄのそれぞれのＩＤ番号を読み出し、それぞれのＩＤ番号を各表示ランプ２６ａ，２６ｂ〜２９ａ，２９ｂから放射される可視光に重畳させた可視光信号により送信するように表示ランプ２６ａ，２６ｂ〜２９ａ，２９ｂを制御するように形成されている。例えば、表示ランプ２６ａ，２６ｂ〜２９ａ，２９ｂから放射されている一定の可視光を例えば５ｋＨｚで変調させ、可視光の明暗の時間の長さの割合でＩＤ番号の符号を表す可視光信号を送信させる。
【００４７】
表示ランプ２６ａ，２６ｂは、ＩＤ番号１に対応付けられた照明器具３の照明負荷１５の点灯、消灯に係らず、いずれかが点灯しているものであり、制御装置３２は、点灯している表示ランプ２６ａ，２６ｂから可視光信号を送信するように制御する。表示ランプ２７ａ，２７ｂ、表示ランプ２８ａ，２８ｂおよび表示ランプ２９ａ，２９ｂについても同様である。こうして、表示ランプ２６ａ，２６ｂ、表示ランプ２７ａ，２７ｂ、表示ランプ２８ａ，２８ｂおよび表示ランプ２９ａ，２９ｂからそれぞれスイッチ部２５ａ、スイッチ部２５ｂ、スイッチ部２５ｃおよびスイッチ部２５ｄに付与されたＩＤ番号に対する可視光信号が送信される。
【００４８】
また、制御装置３２は、可視光信号を送信するときに、表示ランプ２６ａ，２６ｂ〜２９ａ，２９ｂに供給する電流を例えば定格電流にして、表示ランプ２６ａ，２６ｂ〜２９ａ，２９ｂに供給する電力量を通常点灯時の電力量よりも増加するように制御するものである。
【００４９】
電源部３３は、主制御装置８から伝送線７，７に送信されている伝送信号から直流電源を生成して、当該直流電源を制御装置３２などに供給して動作させる。
【００５０】
スイッチ本体２４は、略箱状に形成され、図４に示すように、表面２４ａ側にスイッチ部２５ａ〜２５ｄおよび表示ランプ２６ａ，２６ｂ〜２９ａ，２９ｂが露出するように配設し、内部に記憶装置３０、送受信装置３１、制御装置３２および電源部３３などを収納している。表示ランプ２６ａ，２６ｂ〜２９ａ，２９ｂは、透光性のスイッチ部２５ａ〜２５ｄの下側に配設されている。また、照明負荷１５の点灯時に点灯する表示ランプ２６ａ，２７ａ，２８ａ，２９ａは、スイッチ部２５ａ〜２５ｄの左右方向の右側に配設され、照明負荷１５の消灯時に点灯する表示ランプ２６ｂ，２７ｂ，２８ｂ，２９ｂは、スイッチ部２５ａ〜２５ｄの左右方向の左側に配設されている。そして、スイッチ部２５ａ〜２５ｄの表面には、番号が印字された銘板３５ａ〜３５ｄが貼付されている。
【００５１】
主制御装置８は、負荷機器制御システム１の全体を統括管理するものであり、図６に示すように、通信部３６、画面入力部３７、記憶部３８、電源部３９および主制御部４０を有して構成されている。
【００５２】
通信部３６は、接続端子４１，４１を介して伝送線７，７に接続され、受信装置２や壁スイッチ装置４等から送信された制御信号などが入力され、当該制御信号などを主制御部４０に送出するように形成されている。また、主制御部４０の制御により、照明負荷１５を制御する制御信号などの出力を行うように形成されている。
【００５３】
画面入力部３７は、例えばタッチパネルを備え、照明器具３の識別番号や壁スイッチ装置４のＩＤ番号（アドレス）を設定入力でき、識別番号とＩＤ番号との対応付けができるように形成されている。また、各種制御データを入力可能に形成されている。受信装置２、照明器具３、壁スイッチ装置４およびスイッチ部２５ａ〜２５ｄのＩＤ番号は、画面入力部３７から設定されている。
【００５４】
記憶部３８は、受信装置２、照明器具３、壁スイッチ装置４の識別番号およびスイッチ部２５ａ〜２５ｄのＩＤ番号や各種データなどを記憶している。電源部３９は、接続端子４２，４２を介して電源線４３，４３により商用交流電源Ｖｓに接続され、商用交流電源Ｖｓからの交流電源を所定の直流電源に変換するように形成されている。そして、当該直流電源を主制御部４０などに供給して動作させている。
【００５５】
主制御部４０は、マイコン等を有して構成され、受信装置２から送信されたＩＤ番号を含む制御信号が通信部３６を介して伝送線７，７から入力されると、記憶部３８に記憶されている対応関係に基づいて、伝送線７，７に伝送可能な識別番号を有する照明用制御信号にデータ変換して、通信部３６から伝送線７，７に送信させるように形成されている。また、通信部３６から返信用信号などを重畳させるための伝送信号を送信させている。
【００５６】
そして、リモコン装置５は、手で持って移動可能な大きさに形成され、図７に示すように、操作スイッチ４４、受信部および送信部としての送受信部４５、記憶部４６、ブザー部４７、表示部４８、電源部４９および制御部５０を有して構成されている。
【００５７】
操作スイッチ４４は、リモコン装置３から照明負荷１５の点灯状態を制御するためのＩＤ番号を含む照明用制御信号を送信させるためのスイッチであり、手動操作される複数個の例えば操作ボタンからなっている。操作スイッチ４４には、数量等に応じて数字０〜９、＃や＊などが表示されている。
【００５８】
送受信部４５は、制御部５０の制御により、制御信号を無線信号で送信するとともに、壁スイッチ装置４から送信された可視光信号を受信するように形成されている。記憶部４６は、操作スイッチ４４と壁スイッチ装置４のスイッチ部２５ａ〜２５ｄのＩＤ番号との対応付けを記憶している。
【００５９】
ブザー部４７は、制御部５０の制御により、報知音や音声を発するように形成されている。表示部４８は、記憶部４６に記憶されるＩＤ番号などの各種データを表示するものである。電源部４９は、乾電池または太陽電池を有して形成され、制御部５０などに直流電源を供給して動作させる。
【００６０】
制御部５０は、マイコンを有して形成されている。そして、制御部５０は、壁スイッチ装置４から送信され送受信部４５が受信した可視光信号からＩＤ番号を復調し、所望の操作スイッチ４４と当該復調したＩＤ番号とを対応付けて記憶部４６に記憶させるように形成されている。ここで、例えば、操作スイッチ４４を数秒間押下し続けることにより、前記対応付けを行われる。そして、制御部５０は、前記対応付けを行ったときに、当該対応付けられた操作スイッチ４４の番号とＩＤ番号を表示部４８に表示させるとともに、ブザー部４７から報知音を発生させる。これにより、前記対応付けが行われたことが確認される。
【００６１】
そして、その後、操作スイッチ４４が手動操作されると、当該操作スイッチ４４に対応付けられたＩＤ番号を記憶部４６から読み出し、当該ＩＤ番号を付与した制御信号を演算生成して送受信部４５から無線信号で送信させるように送受信部４５を制御するように形成されている。制御信号は、操作スイッチ４４が一度押下されると、照明負荷１５を例えば消灯状態から点灯させ、操作スイッチ４４が再度押下されると、照明負荷１５を例えば点灯状態から消灯させる反転制御信号である。
【００６２】
次に、本発明の実施例１の作用について述べる。
【００６３】
各照明器具３および壁スイッチ装置４のスイッチ部２５ａ〜２５ｄは、主制御装置８の画面入力部３７における設定操作によってそれぞれ識別番号やＩＤ番号が付与され、識別番号とＩＤ番号が対応付けされている。そして、各スイッチ部２５ａ〜２５ｄに対応付けられて設けられた照明器具３に対する点灯用の表示ランプ２６ａ，２７ａ，２８ａ，２９ａおよび消灯用の表示ランプ２６ｂ，２７ｂ，２８ｂ，２９ｂのいずれかが点灯している。例えば、スイッチ部２５ａのＩＤ番号１に対応する照明器具３の照明負荷１５が点灯していると、表示ランプ２６ａが点灯し、表示ランプ２６ｂが消灯している。表示ランプ２６ａ，２６ｂ〜２９ａ，２９ｂは、定格電流の例えば３０％の電流が流れて点灯している。
【００６４】
リモコン装置５を用いて照明器具３の照明負荷１５の点消灯を制御するには、まず、リモコン装置５の操作スイッチ４４と各スイッチ部２５ａ〜２５ｄのＩＤ番号との対応付け（アドレス設定）を行う。
【００６５】
例えば、壁スイッチ装置４のスイッチ部２５ａ〜２５ｄのうちの一つを所定時間内に所定回数以上例えば２秒以内に４回オンオフ操作する。壁スイッチ装置４の制御装置３２は、スイッチ部２５ａ〜２５ｄにそれぞれ付与されたＩＤ番号を記憶装置３０から読み出す。そして、読み出したそれぞれのＩＤ番号を可視光信号で送信するように、スイッチ部２５ａ〜２５ｄにそれぞれ対応付けられた表示ランプ２６ａ〜２９ａまたは表示ランプ２６ｂ〜２９ｂを制御する。すなわち、スイッチ部２５ａに付与されたＩＤ番号は、表示ランプ２６ａまたは表示ランプ２６ｂから可視光信号で送信される。同様に、スイッチ部２５ｂ，２５ｃ，２５ｄに付与されたＩＤ番号は、表示ランプ２７ａ，２８ａ，２９ａまたは表示ランプ２７ｂ，２８ｂ，２９ｂから可視光信号で送信される。表示ランプ２６ａ，２６ｂ〜２９ａ，２９ｂからは、ＩＤ番号を有する可視光信号が重畳された可視光（赤色光または緑色光）が放射される。
【００６６】
また、制御装置３２は、表示ランプ２６ａ，２６ｂ〜２９ａ，２９ｂから可視光信号を送信させるときには、表示ランプ２６ａ，２６ｂ〜２９ａ，２９ｂに流れる電流を定格電流の３０％の電流値から定格電流の電流値に増加させる。すなわち、表示ランプ２６ａ，２６ｂ〜２９ａ，２９ｂに供給する電力量を通常点灯時の電力量よりも約３．３倍増加させる。これにより、表示ランプ２６ａ，２６ｂ〜２９ａ，２９ｂから放射される可視光の出力が増加するとともに、可視光信号の出力も大きくなる。
【００６７】
そして、リモコン装置５の送受信部４５側を点灯している表示ランプ２６ａ，２６ｂに近接させる。リモコン装置５の送受信部４５は、表示ランプ２６ａ，２６ｂから送信された可視光信号を受信する。ここで、リモコン装置５の送受信部４５は、表示ランプ２６ａ，２６ｂに近接しているので、表示ランプ２６ａ，２６ｂに隣接している表示ランプ２７ａ，２７ｂから送信された可視光信号を受信しないものである。また、表示ランプ２６ａ，２６ｂから可視光信号が送信されているときには、表示ランプ２６ａ，２６ｂの電力量が通常点灯時の電力量よりも約３．３倍増加しているので、可視光信号は、送受信部４５に受信されやすくなっている。表示ランプ２７ａ，２７ｂ〜２９ａ，２９ｂの場合においても、同様に、可視光信号が混信されることなく受信されやすくなっている。
【００６８】
リモコン装置５の制御部５０は、送受信部４５が受信した可視光信号からスイッチ部２５ａに付与されたＩＤ番号を復調する。そして、複数個の操作スイッチ４４のうちの所望の選択スイッチ４３を選択し、その操作スイッチ４４を押下し続けると、制御部５０は、選択した所望の操作スイッチ４４と復調したＩＤ番号を表示部４８に表示させ、所定時間例えば２秒が経過した後に、当該操作スイッチ４４と可視光信号のＩＤ番号を対応付けて記憶部４６に記憶させる。このとき、ブザー部４７から報知音が発生される。例えば表示１の操作スイッチ４４を選択し押下すると、表示１の操作スイッチ４４と壁スイッチ装置４のスイッチ部２５ａとが対応付けられる。
【００６９】
以下、リモコン装置５の送受信部４５を点灯している表示ランプ２７ａ，２７ｂ、表示ランプ２８ａ，２８ｂ、表示ランプ２９ａ，２９ｂに順次近接させ、表示２，３，４の操作スイッチ４４を選択し押下すると、表示２，３，４の操作スイッチ４４とスイッチ部２５ｂ，２５ｃ，２５ｄがそれぞれ対応付けられる。このようにして、全てのスイッチ部２５ａ〜２５ｄに対するリモコン装置５の操作スイッチ４４の対応付け（アドレス設定）が行われる。
【００７０】
なお、壁スイッチ装置４の制御装置３２は、表示ランプ２６ａ，２６ｂ〜２９ａ，２９ｂから可視光信号を送信開始させた後、所定の時間例えば１０分が経過すると、表示ランプ２６ａ，２６ｂ〜２９ａ，２９ｂに対する可視光信号の送信制御を解除する。
【００７１】
この後、リモコン装置５の操作スイッチ４４を押下すると、リモコン装置５の制御部５０は、記憶部４６から当該操作スイッチ４４に対応付けられたＩＤ番号を読み出し、当該ＩＤ番号を含む制御信号を送受信部４５から無線信号で送信させる。当該制御信号は、受信装置２で受信され、伝送線７，７を介して主制御装置８に送信される。
【００７２】
主制御装置８は、通信部３６で受信したＩＤ番号を含む制御信号をデータ変換して、照明用制御信号として通信部３６から伝送線７，７に送信する。照明用制御信号は、各照明器具３の送受信部１９で受信される。各照明器具３の制御部２１は、記憶部２０に記憶されている識別番号を読み出し、当該識別番号と照明用制御信号に付与されている識別番号を比較する。そして、制御部２１は、両者が一致すると、照明用制御信号に応じて点灯回路部２２を制御し、照明負荷１５の点灯状態を制御する。照明負荷１５は、照明用制御信号に応じて、例えば、消灯状態から点灯され、または点灯状態から消灯されるように反転制御される。このように、照明器具３に対応するリモコン装置５の操作スイッチ４４を手動操作することにより、壁スイッチ装置４を操作したときと同様に照明器具３の照明負荷１５が制御される。
【００７３】
上述したように、壁スイッチ装置４の表示ランプ２６ａ，２６ｂ〜２９ａ，２９ｂから可視光信号を送信させ、リモコン装置５の送受信部４５側を表示ランプ２６ａ，２６ｂ〜２９ａ，２９ｂに近接して可視光信号を受信することにより、リモコン装置５の操作スイッチ４４と壁スイッチ装置４の各スイッチ部２５ａ〜２５ｄのＩＤ番号（アドレス）とを対応付けすることができ、照明器具３に対するリモコン装置５のアドレスの設定または変更を容易かつ迅速に行うことができる。
【００７４】
また、表示ランプ２６ａ，２６ｂ〜２９ａ，２９ｂから可視光信号を送信するときに表示ランプ２６ａ，２６ｂ〜２９ａ，２９ｂの電力量が通常点灯時よりも増加することにより、可視光信号がリモコン装置５に受信されやすくなるので、リモコン装置５の操作スイッチ４４と壁スイッチ装置４のスイッチ部２５ａ〜２５ｄ（各照明器具３）のそれぞれのＩＤ番号との対応付けの確実性を向上させることができる。
【実施例２】
【００７５】
図８ないし図１０は、本発明の実施例２を示し、図８は負荷機器制御システムの構成の概略ブロック図、図９は照明器具の構成を示す概略ブロック図、図１０は壁スイッチ装置の構成を示す概略ブロック図である。なお、図１、図３、図５と同一部分には、同一符号を付して説明は省略する。
【００７６】
図８に示す負荷機器制御システム１Ａは、照明制御システムであり、図１に示す負荷機器制御システム１において、受信装置２および主制御装置８を有しないものである。そして、負荷機器としての各照明器具３Ａの器具本体１３に受信装置５１が設けられている。受信装置５１の受信素子５２は、器具本体１３の一端側下面に露出するように配設されている。受信素子５２は、例えばフォトダイオードからなっている。
【００７７】
壁スイッチ装置４Ａのスイッチ部２５ａ〜２５ｄおよび各照明器具３は、例えば、伝送線７，７に着脱可能に接続された設定器又はディップスイッチにより、それぞれＩＤ番号および識別番号が設定されている。
【００７８】
照明器具３Ａは、図９に示すように、図３に示す照明器具３において、器具本体１３に受信装置５１を配設しているとともに、制御端末装置１４に接続端子５３，５３が設けられている。接続端子５３，５３は、商用交流電源Ｖｓが入力される接続端子１６，１６に電気的に接続されている。接続端子５３，５３は、渡り電源線５４，５４により、隣接する照明器具３の接続端子１６，１６または壁スイッチ装置４Ａの後述の接続端子５５，５５に接続されている。また、電源部２３は、接続端子１６，１６に接続されている。電源部２３は、商用交流電源Ｖｓから所定の直流電源を生成して、制御装置２１などに供給するように形成されている。
【００７９】
記憶装置２０には、予め自己に対応付けられる壁スイッチ装置４Ａのスイッチ部２５ａ〜２５ｄのＩＤ番号が記憶されている。すなわち、壁スイッチ装置４Ａの操作によって、どの照明器具３が制御されるかという対応関係が照明器具３自体に設定されている点が実施例１と異なっている。
【００８０】
受信装置５１は、リモコン装置５から無線信号で送信されたＩＤ番号を含む制御信号を受信素子５２により受信し、当該制御信号をデータ変換して制御装置２１に出力するように形成されている。制御装置２１は、当該制御信号に付与されているＩＤ番号と記憶装置２０に記憶されているＩＤ番号が一致すると、当該制御信号に応じて点灯回路部２２を制御して照明負荷１５の点灯状態を制御する。
【００８１】
また、壁スイッチ装置４Ａのスイッチ部２５ａ〜２５ｄがオンオフ操作され、壁スイッチ装置４ＡからＩＤ番号を含む制御信号が送信されると、送受信部１９は、当該制御信号を伝送線７，７から受信する。制御部２１は、当該制御信号に付与されているＩＤ番号と記憶装置２０に記憶されているＩＤ番号が一致すると、当該制御信号に応じて点灯回路部２２を制御して照明負荷１５の点灯状態を制御する。
【００８２】
壁スイッチ装置４Ａは、図１０に示すように、スイッチ本体２４に接続端子５５，５５が設けられ、この接続端子５５，５５に渡り電源線５４，５４が接続されている。電源部３３は、接続端子５５，５５に電気接続され、商用交流電源Ｖｓから交流電圧を入力している。そして、商用交流電源Ｖｓから所定の直流電源を生成して、制御装置３２などに供給している。以下、負荷機器制御システム１において説明したとおりである。
【００８３】
負荷機器制御システム１Ａにおいても、壁スイッチ装置４Ａにおいて、表示ランプ２６ａ，２６ｂ〜２９ａ，２９ｂから出力される可視光信号により、リモコン装置５へスイッチ部２５ａ〜２５ｄのＩＤ番号を設定または変更を行うことができ、負荷機器制御システム１と同様の作用、効果が得られる。
【００８４】
次に、本発明の実施例３について説明する。
【００８５】
図１１ないし図１３は、本発明の実施例３を示し、図１１は負荷機器制御システムの構成の概略ブロック図、図１２は負荷機器の構成を示す概略ブロック図、図１３はリモコン装置の構成を示す概略ブロック図である。なお、図７ないし図９と同一部分には、同一符号を付して説明は省略する。
【００８６】
図１１に示す負荷機器制御システム５６は、冷暖房制御システムであり、図８に示す負荷機器制御システム１Ａにおいて、照明器具３に換えてエアコン装置からなる負荷機器５７を設けたものである。負荷機器５７は、壁スイッチ装置４Ａまたはリモコン装置５８によって運転が動作または停止され、リモコン装置５８によって温度制御等の動作をするように形成されている。
【００８７】
負荷機器５７は、略箱状の機器本体５９の外面側に受信装置５１の受信素子５２を配設している。また、図１２に示すように、機器本体５９の内部に受信装置５１、制御端末装置６０、内ファンモータ６１、風向モータ６２、図示しない室内温度センサや熱交温度センサなどを配設している。
【００８８】
受信装置５１は、リモコン装置５８から送信された制御信号を受信し、当該制御信号を制御装置２１に送信する。制御端末装置６０は、送受信部１９、記憶装置２０、制御装置２１、電源部２３および通信部６３などを配設している。通信部６３は、接続端子６４，６４を介して通信線６５，６５により室外機６６に接続されている。
【００８９】
内ファンモータ６１は、図示しない内ファンを回転動作させる。また、風向モータ６２は、図示しないエアーウィングを回動動作させる。内ファンモータ６１および風向モータ６２は制御装置２１によってそれぞれ制御されるとともに、電源部２３から直流電源が供給されて動作する。
【００９０】
制御装置２１は、リモコン装置５８から送信された制御信号に付与されているＩＤ番号と記憶装置２０に記憶されているＩＤ番号が一致すると、当該制御信号に応じて内ファンモータ６１および風向モータ６２などを動作させる。また、通信部６３を介して室外機６６に制御信号を伝送し、室外機６６を運転させる。そして、室内温度センサなどの検出信号に応じて、リモコン装置５８から送信された制御信号に応じた室内の温度や湿度となるように、内ファンモータ６１、風向モータ６２および室外機６６などを制御する。こうして、負荷機器５７は、受信装置５１が受信した制御信号に応じて動作状態が制御される。
【００９１】
また、壁スイッチ装置４Ａのスイッチ部２５ａ〜２５ｄが操作され、壁スイッチ装置４Ａから制御信号が送信されると、送受信部１９は、当該制御信号を伝送線７，７から受信する。制御部２１は、当該制御信号に付与されているＩＤ番号と記憶装置２０に記憶されているＩＤ番号が一致すると、当該制御信号に応じて内ファンモータ６１、風向モータ６２および室外機６６などの運転を動作または停止させる。室内の温度および湿度などは、リモコン装置５８などにより前もって設定された設定値に制御される。こうして、負荷機器５７は、壁スイッチ装置４Ａのスイッチ部２５ａ〜２５ｄの操作により、動作状態が制御される。
【００９２】
リモコン装置５８は、図１３に示すように、図７にリモコン装置５において、さらに室内温度を設定する温度設定部６７、負荷機器５７の運転を所定時間後に動作または停止させるオンオフ時間設定部６８や室内の湿度を設定する図示しない湿度設定部などが設けられている。設定された室内温度やオンオフ時間などは、操作スイッチ４４の手動操作に応じて制御部５０により生成されたＩＤ番号を含む制御信号に付与されて、送受信部４５から無線信号で送信される。
【００９３】
壁スイッチ装置４Ａは、図１０において説明したように構成されている。そして、表示ランプ２６ａ，２６ｂ〜２９ａ，２９ｂは、負荷機器５７の動作状態に応じて点灯する。すなわち、負荷機器５７の運転が動作していると、表示ランプ２６ａ，２７ａ，２８ａ，２９ａが点灯し、負荷機器５７の運転が停止していると、表示ランプ２６ｂ，２７ｂ，２８ｂ，２ｂａが点灯する。
【００９４】
負荷機器制御システム５６は、壁スイッチ装置４Ａにおいて、表示ランプ２６ａ，２６ｂ〜２９ａ，２９ｂから出力される可視光信号により、リモコン装置５８にスイッチ部２５ａ〜２５ｄのＩＤ番号を設定または変更を容易に行うことができ、負荷機器制御システム１と同様の作用、効果を得ることができる。
【産業上の利用可能性】
【００９５】
本発明の負荷機器制御システム１，１Ａ，５８は、建物内の照明制御システム、空調制御システムや冷暖房制御システムなどに利用することができる。
【符号の説明】
【００９６】
１，１Ａ，５６…負荷機器制御システム
２，５１…受信装置
３，５７…負荷機器
４，４Ａ…壁スイッチ装置
５，５８…リモコン装置
２４…スイッチ本体
２５ａ〜２５ｄ…スイッチ部
２６ａ，２６ｂ〜２９ａ，２９ｂ…表示ランプ
３０…記憶装置
３１…送受信装置
３２…制御装置
４４…操作スイッチ
４５…受信部および送信部としての送受信部
４６…記憶部
５０…制御部
【図１】
2010213045.tif 000003
【図２】
2010213045.tif 000004
【図３】
2010213045.tif 000005
【図４】
2010213045.tif 000006
【図５】
2010213045.tif 000007
【図６】
2010213045.tif 000008
【図７】
2010213045.tif 000009
【図８】
2010213045.tif 000010
【図１０】
2010213045.tif 000011
【図１１】
2010213045.tif 000012
【図１２】
2010213045.tif 000013
【図１３】
2010213045.tif 000014
【図９】
2010213045.tif 000015